(57)【要約】本発明は自動車用マットであり、車内で搭乗者が履き物を脱いでより心地よく搭乗するために発明された。従来の自動車用マットは、１）自動車室内の床面に対応する胴体部と、２）前記胴体部の上部に履き物を収納して保管するようにする複数の隔壁と、片方には開閉可能な蓋を含む収納部と、３）足を置くように分解／組立て可能な踏み台部とを含むマットの構造を有する。  本発明は、次に示す、１）前記胴体部の両側から前記踏み台部と前記収納部を支持するようにする壁体と、２）前記胴体部の上部面に前記踏み台部を支持し安着させる固定部と、３）これに対応する踏み台部の下側面に移送できる固定対応部と、４）前記胴体部の壁体の内側に、前記安着される踏み台部の上部へ前記収納部を移送自在にする移送溝と、５）前記収納部の両側面に前記移送溝に対応する移送突起の構造とを有することを特徴とする。
2005531447.tif 000002
【特許請求の範囲】
【請求項１】
自動車の室内の床面に対応する広さを有する胴体部と、前記胴体部の上部には履き物を収納して保管するように複数の隔壁と片方には開閉可能な蓋を備える収納部と、足を置くように分解／組立て可能な踏み台部を備えるマットを有する従来の自動車用マットにおいて、
前記胴体部の両側には前記踏み台部と収納部を支持するようにする壁体と、
前記胴体部の上部面には前記踏み台部を支持し装着する固定部と、
前記固定部に対応する踏み台部の下側面に移送可能な固定対応部と、
前記胴体部の壁体の内側には、前記安着される踏み台部の上側部に前記収納部を移送自在にする移送溝と、
前記収納部の両側面に前記移送溝に対応する移送突起と
をさらに備えることを特徴とする自動車用マット。
【請求項２】
前記収納部と前記胴体部にそれぞれ踏み台固定手段と収納部固定手段をさらに備える自動車用マット。
【請求項３】
前記踏み台部の片方に複数の一定間隔で貫通されている固定孔と前記胴体部の片方の内部に前記固定孔の何れかに対応するように貫通された貫通孔と、前記貫通孔と固定孔を貫通して前記踏み台部を固定する固定ピンを有する前記踏み台部固定手段を備える自動車用マット。
【請求項４】
前記壁体片方の前記収納部が装着され対応する位置に回転により前記収納部の一面を固定し支持する固定レバーを有する前記収納部固定手段を備える自動車用マット。
【請求項５】
前記収納部を複数に仕切り物品を整理する補助収納部と、内部に保管される履き物などの悪臭などを除去するように自動車などの電源を印加されて作動する芳香消毒発生部とを備える自動車用マット。
【請求項６】
前記踏み台部の上部内面に冬期に使用者の履き物を脱いでいる足に熱を発散するように自動車の電源を印加されて作動する熱線を備える自動車用マット。
【発明の詳細な説明】
【技術分野】
【０００１】
本発明は一般に自動車用マットに関し、車内で搭乗者が履き物を脱いで、より心地よく搭乗するために発明された。
【背景技術】
【０００２】
本発明は自動車用マットに関し、車内で搭乗者が履き物を脱いでより心地よく搭乗するために発明された。
まず、従来の一般の自動車用マット（登録実用新案公報、出願２０−１９９９−００２６５２６号）に対する説明は以下のようになっている。
【０００３】
自動車用マットは運転手または他の搭乗者の履き物により自動車内の床面が汚れることを防止するために、多様な形態を持つ。自動車マットは上段の織物材からなるランド部と、下段のゴム材及び合成樹脂材からなる固定部とを含む。前記自動車用マットは上段のランド部と下段の固定部とが合さるエッジ部分に互いに接続するための手段であるベルクロ（Ｖｅｌｃｒｏ）を装着し、前記ランド部と固定部上には微細なメッシュのろ過網をベルクロ内側の寸法よりやや小さく形成して介在することを特徴とする。これは履き物を脱いでおいても履き物などが不快な臭いを発するため、搭乗者が快適に運転できないという問題点がある。
【０００４】
また、従来の一般の自動車用マットの問題点を解決するために、本発明者が先に出願した実用新案（出願番号第２０−２００１−００２９０７３号）の特徴は、次のように説明できる。胴体部１０の上部には履き物を収納して保管するように複数の隔壁２１と片方に開閉可能な蓋２２を備えた収納部２０と、前記胴体部１０の上部には足を置くように分解／組立て可能な踏み台部３０とをさらに含むことを特徴とするマット１００である。
【０００５】
しかし、前記従来発明は、胴体部の上部に収納部と踏み台とがともに備えられる。この方法は、次のようないくつかの不便な点がある。前記収納部に履き物などを入れるために前記収納部を移動する際に、前記踏み台部の片方面に引っかかることや、前記収納部と踏み台部が車両の振動または衝撃により簡単に分離されてしまうこと、前記収納部に保管されている履き物により悪臭が発生するという点である。
【０００６】
従来の一般の自動車用マット（登録実用新案公報、出願２０−１９９９−００２６５２６号）に対する説明は次のようである。
【０００７】
自動車用マットは、運転手または他の搭乗者の履き物により自動車内の床面が汚れることを防止するため、多様な形態を持つ。自動車用マットは上段の織物材からなるランド部と、下段のゴム材及び合成樹脂材からなる固定部とを含む。前記自動車用マットは上段のランド部と下段の固定部とが合さるエッジ部分に互いに接続するための手段であるベルクロを装着し、前記ランド部と固定部上には微細なメッシュのろ過網をベルクロ内側の寸法よりやや小さく形成して介在することを特徴とする。これは履き物を脱いでおくと、履き物などが不快な臭いを発するため、搭乗者が快適に運転できないという問題点がある。
【０００８】
また、従来の一般の自動車用マットの問題点を解決するために、本発明者が先に出願した実用新案（出願番号第２０−２００１−００２９０７３号）の特徴は、次のように説明できる。前記胴体部１０の上部には履き物を収納して保管するように複数の隔壁２１と片方に開閉可能な蓋２２を備えた収納部２０と、前記胴体部１０の上部には足を置くように分解／組立て可能な踏み台部３０とをさらに含むマット１００を備えることを特徴とする。
【０００９】
しかし、前記従来発明は、胴体部の上部に収納部と踏み台とがともに備えられる。この方法は、次のようないくつかの不便な点がある。前記収納部に履き物などを入れるために前記収納部を移動する際に、前記踏み台部の片方面に引っかかることや、前記収納部と踏み台部が車両の振動または衝撃により簡単に分離されてしまうこと、前記収納部に保管されている履き物により悪臭が発生するという点である。
【００１０】
【特許文献１】登録実用新案  出願２０−１９９９−００２６５２６号公報                （韓国登録実用新案  公告２０−０１８９４７８号公報）
【特許文献２】登録実用新案  出願２０−２００１−００２９０７３号公報                （韓国登録実用新案  公告２０−０２５９３８７号公報）
【発明の開示】
【発明が解決しようとする課題】
【００１１】
そこで、本発明の目的は胴体部の上側に含まれる収納部と、踏み台部の移送及び固定を自在にし、前記収納部と踏み台部を固定するとともに収納部の悪臭を除去することにある。
【発明の効果】
【００１２】
本発明は自動車用マットであり、車内で搭乗者が履き物を脱いでより心地よく搭乗できるように発明されたもので、胴体部の上部側に含まれる収納部と踏み台部の移送及び固定を自在にし、また前記収納部と踏み台部を固定させることによって、収納部の悪臭を除去する効果がある。
【発明を実施するための最良の形態】
【００１３】
上述した目的、特徴及び長所について添付する図面と関連した次の詳細な説明によりさらに明確する。以下、添付する図面を参照して本発明に係る好ましい一実施例を詳細に説明する。
【実施例１】
【００１４】
本発明の好ましい実施例に係る自動車用マットについて、図１と図２とを参照して説明すると、次のようである。従来の自動車用マットは、１）自動車内の床面に対応する広さを有する胴体部１０と、２）前記胴体部１０の上部に履き物を収納して保管するように複数の隔壁２１と、片方には開閉可能な蓋２２を含む収納部２０と、３）足を置くように分解／組立て可能な踏み台部３０と、４）上記に説明した全てを含む構造を有するマット１００。
【００１５】
本発明は次のように、前記胴体部１０の両側に前記踏み台部３０と、収納部２０を支持するようにする壁体１７と、前記胴体部１０の上部面に前記踏み台部３０を支持し安着する固定部１５と、これに対応する踏み台部３０の下側面に移送できる固定対応部３４と、前記胴体部１０の壁体１７の内側に前記安着される踏み台部３０の上側部に前記収納部２０を移送自在にする移送溝１６と、前記収納部２０の両側面に前記移送溝１６に対応する移送突起２３とを備えることを特徴とする。
【００１６】
前記収納部２０と踏み台部３０は、自動車の振動及び衝撃にも固定される構造になっており、これを説明すると、次のようである。前記踏み台部３０と前記収納部２０には、それぞれ前記踏み台部３０と収納部２０を、前記胴体部１０と前記収納部２０に固定し支持する踏み台部固定手段５０と収納部固定手段４０をさらに備えることを特徴とする。
【００１７】
このとき、前記踏み台部固定手段５０は、前記踏み台部３０の片方には一定間隔で貫通されている複数の固定孔５１と、前記胴体部１０の片方の内部に前記固定孔の何れかに対応するように貫通された貫通孔５２と、前記貫通孔５２と固定孔５１を貫通して前記踏み台部３０を固定する固定ピン５３を備えることを特徴とする。
【００１８】
また、前記収納部固定手段４０は、回転により前記収納部２０の一面を固定し支持する固定レバー４１をさらに備えることを特徴とする。そして、前記踏み台部固定手段５０と収納部固定手段４０は、本発明の技術的思想内で多様に具現でき、これは各種の物理的スイッチ及びブレーキ構造などにより可能である。そして、前記収納部２０の内部には悪臭などを除去する構造をさらに備え、これは前記収納部２０の内部には複数に仕切り物品を整理する補助収納部２５と、内部に保管される履き物などの悪臭などを除去するように自動車などの電源により作動する芳香消毒発生部２４とを備える。
【００１９】
そして、前記胴体部１０の底面には、運転手席の横のトランクレバーおよびガソリンキャップのレバーを避けるように空けられた操作孔１９をさらに備える。
【実施例２】
【００２０】
そして、図７に示す本発明に係る第２の実施例に対する説明は、次のようになる。前記踏み台部３０´上部の内面に、冬場に使用者が履き物を脱いだ状態で足を暖めるための構造をさらに備える。この構造は前記踏み台部３０´の上部内面には、冬場に履き物を脱いだ状態で使用者の足もとに熱を発散するように、自動車の電源により作動する熱線３９´をさらに備えることを特徴とする。そして、前記収納部２０の蓋２２は図には示していないが、本発明の技術的思想内で開ける装置を前方向に設けるか、スライド構造にすることができる。
【００２１】
このように、本発明の使用方法及び作動過程について、図３、図４、図５、そして図６により説明すると、次のようである。
【００２２】
前記胴体部１０の上部面に前記踏み台部３０を装着させる。このとき、前記踏み台部３０の固定対応部３４と前記胴体部１０の固定部１５を互いに対応するように支持し、前記踏み台部固定手段５０により固定される。前記踏み台部固定手段５０は前記胴体部１０の貫通孔５２に使用者の下半身の長さによって所定の位置に置かれた踏み台部３０のある１つの固定孔５１が互いに対応する位置で前記固定ピン５３により固定される。
【００２３】
また、前記収納部２０は前記胴体部１０の移送溝１６に前記収納部２０の移送突起２３を嵌合することによって支持及び移送する。このとき、使用者は履き物などを脱いだり履いたりするために前記収納部２０を前記胴体部１０上部の片方に移送して前記収納部固定手段４０である固定レバー４１により固定した後、簡単に蓋を開けることができる。
【００２４】
そして、前記収納部２０の内部に含まれた補助収納部２５は各種の小品などを収納し、特に、前記自動車のシガージャツクなどに接続して電源を印加される芳香消毒発生部２４により前記収納部２０の内部は常に快適な状態を維持する。そして他の実施例として含まれた踏み台部３０´の熱線３９´は電源を印加されて使用者の足の体温を維持する。
【００２５】
このように含まれた本発明の自動車用マットの機能について説明すると、次のようである。前記踏み台部３０は前記胴体部１０の上部面に装着して使用者の足を支持する。また、前記胴体部１０に安着され、前記移送溝１６と移送突起２３により移送する前記収納部２０は内部に履き物などを手軽に入れるようにする。そして、前記移送溝１６と移送突起２３は、前記踏み台部３０と収納部を固定及び支持して、容易に移送されたり分離されたりすることを防止する。そして、前記収納部２０の芳香消毒発生部２４は前記収納部２０内部の悪臭を除去する機能する。
【図面の簡単な説明】
【００２６】
【図１】本発明に係る自動車用マットを示す斜視図である。
【図２】本発明に係る自動車用マットを示す分解状態の斜視図である。
【図３】本発明に係る自動車用マットを示す要部を抜粋した平面図である。
【図４】本発明に係る自動車用マットを示す使用状態図である。
【図５】本発明の一実施に係る自動車用マットを示す要部を抜粋した一側断面図である。
【図６】本発明の一実施に係る自動車用マットを示す要部を抜粋した一側断面図である。
【符号の説明】
【００２７】
１０    胴体部
１５    固定部
１６    移送溝
１７    壁体
１９    操作孔
２０    収納部
２１    隔壁
２２    開閉可能な蓋
２３    移送突起
２４    芳香消毒発生部
２５    補助収納部
３０    分解／組立て可能な踏み台部
３４    固定対応部
４０    収納部固定手段
４１    固定レバー
５０    踏み台部固定手段
５１    複数の固定孔
５２    貫通孔
５３    固定ピン
１００    マット
【図１】
2005531447.tif 000003
【図２】
2005531447.tif 000004
【図３】
2005531447.tif 000005
【図４】
2005531447.tif 000006
【図５】
2005531447.tif 000007
【図６】
2005531447.tif 000008
【図７】
2005531447.tif 000009
【手続補正書】
【提出日】平成15年10月22日(2003.10.22)
【手続補正１】
【補正対象書類名】特許請求の範囲
【補正対象項目名】全文
【補正方法】変更
【補正の内容】
【特許請求の範囲】
【請求項１】
自動車の室内の床面に対応する広さを有する胴体部と、前記胴体部の上部には履き物を収納して保管するように複数の隔壁と片方には開閉可能な蓋を備える収納部と、足を置くように分解／組立て可能な踏み台部を備える自動車用マットにおいて、
前記胴体部の両側に前記踏み台部と収納部を支持する壁体と、
前記胴体部の上部面に前記踏み台部を支持し定着させるための歯状のレールと、
踏み台部の下部面に固定部に対応される固定対応部と、
前記胴体部の壁体の内側に形成された、前記踏み台部の上側部に前記収納部を移送自在にするための移送溝と、
前記収納部の両側面には前記移送溝に対応する移送突起とを備えることを特徴とする自動車用マット。
【請求項２】
胴体部にはそれぞれ前記踏み台部と収納部を固定し支持するための踏み台固定手段及び収納部固定手段をさらに備えることを特徴とする請求項１に記載の自動車用マット。
【請求項３】
前記踏み台固定手段は、
前記踏み台部の片方には一定間隔で貫通されている複数の固定孔と、
前記胴体部の片方の内部には前記固定孔の何れかに対応するように貫通された貫通孔と、
前記貫通孔と固定孔を貫通して前記踏み台部を固定する固定ピンとを備えることを特徴とする請求項２に記載の自動車用マット。
【請求項４】
前記収納部固定手段は、
前記収納部を囲む前記壁体の片方に装着され、回転により前記収納部の一面を固定し支持する固定レバーをさらに備えることを特徴とする請求項２に記載の自動車用マット。
【請求項５】
前記収納部の内部を仕切り、物品を整理するための補助収納部と、
前記収納部の内部に保管される履き物の悪臭を除去するための自動車の電源により作動する芳香消毒発生部とをさらに備えることを特徴とする請求項１に記載の自動車用マット。
【請求項６】
前記踏み台部に熱を発散するための前記踏み台部上部の内面に位置し、自動車の電源により作動する熱線とをさらに備えることを特徴とする請求項１に記載の自動車用マット。
【国際調査報告】
2005531447.tif 000010
2005531447.tif 000011